(57)【要約】【課題】より高性能な撮像装置及び当該撮像装置を備えた携帯端末を提供する。【解決手段】被写体光を導くための撮像光学系２と、撮像光学系２に導かれた被写体光を光電変換する撮像素子３と、撮像光学系２と撮像素子３との間に配置され、撮像光学系２に導かれた被写体光から赤外線をカットする赤外線カットフィルタ４と、撮像光学系２と赤外線カットフィルタ４との間に配置され、撮像光学系２に導かれた被写体光のうちの不要光を遮光する遮光部材５と、備え、撮像光学系２の撮像素子３側の面は凸面２ａとなるよう構成した。【選択図】図４
2007233262.tif 000002
【特許請求の範囲】
【請求項１】
被写体光を導くための撮像光学系と、
前記撮像光学系に導かれた被写体光を光電変換する撮像素子と、
前記撮像光学系と前記撮像素子との間に配置された透光部材と、
前記撮像光学系と前記透光部材との間に配置され、前記撮像光学系に導かれた被写体光のうちの不要光を遮光する遮光部材と、を備え、
前記撮像光学系の前記撮像素子側の面は凸面であることを特徴とする撮像装置。
【請求項２】
請求項１に記載の撮像装置において、
前記撮像光学系と前記撮像素子と前記透光部材と前記遮光部材とを内側に配置し、被写体光を導入する開口部を有する外枠部材と、
前記外枠部材の内面に突出して設けられ、前記透光部材の前記撮像素子側の端部を支持する透光部材支持部と、を備えることを特徴とする撮像装置。
【請求項３】
被写体光を導くための撮像光学系と、
前記撮像光学系に導かれた被写体光を光電変換する撮像素子と、
前記撮像光学系と前記撮像素子との間に配置された透光部材と、
前記撮像光学系と前記透光部材との間に配置され、前記撮像光学系に導かれた被写体光のうちの不要光を遮光する遮光部材と、
前記撮像光学系と前記撮像素子と前記透光部材と前記遮光部材とを内側に配置し、被写体光を導入する開口部を有する外枠部材と、
前記外枠部材の内面に突出して設けられ、前記透光部材の前記撮像素子側の端部を支持する透光部材支持部と、を備えることを特徴とする撮像装置。
【請求項４】
請求項２又は３に記載の撮像装置において、
前記透光部材は、前記透光部材支持部と前記遮光部材との間に挟まれていることを特徴とする撮像装置。
【請求項５】
請求項２〜４の何れか一項に記載の撮像装置において、
前記外枠部材は、その内面に、光軸方向に沿って設けられた凹形状又は凸形状の係合部を備え、
前記遮光部材は、前記外枠部材の凹形状の係合部に係合される凸形状の被係合部又は前記外枠部材の凸形状の係合部に係合される凹形状の被係合部を備えることを特徴とする撮像装置。
【請求項６】
請求項２〜５の何れか一項に記載の撮像装置において、
前記遮光部材は、その端面の一部を前記撮像光学系側が開口するように切り欠いた切欠部を備えることを特徴とする撮像装置。
【請求項７】
請求項２〜６の何れか一項に記載の撮像装置において、
前記遮光部材は、前記外枠部材に接着されていることを特徴とする撮像装置。
【請求項８】
請求項１〜７の何れか一項に記載の撮像装置において、
前記透光部材は、前記撮像光学系に導かれた被写体光から赤外線をカットする赤外線カットフィルタであることを特徴とする撮像装置。
【請求項９】
請求項１〜８の何れか一項に記載の撮像装置を端末本体に備えることを特徴とする携帯端末。
【発明の詳細な説明】
【技術分野】
【０００１】
本発明は、撮像装置及び携帯端末に関する。
【背景技術】
【０００２】
従来、小型で薄型の撮像装置が、携帯電話機やＰＤＡ（Personal Digital Assistant）などの携帯端末に搭載されている（例えば、特許文献１参照。）。
【０００３】
例えば、図１０に示すように、撮像装置１０Ｂは、外枠部材１Ｂと、被写体光を導くための撮像光学系２Ｂと、撮像光学系２Ｂを支持する光学系支持体２１Ｂと、撮像光学系２Ｂに導かれた被写体光から赤外線をカットする赤外線カットフィルタ４Ｂと、撮像光学系２Ｂに導かれ、赤外線カットフィルタ４Ｂにより赤外線がカットされた被写体光のうちの不要光を遮光する遮光部材５Ｂと、撮像光学系２Ｂに導かれ、赤外線カットフィルタ４Ｂにより赤外線がカットされ、遮光部材５Ｂにより不要光が遮光された被写体光を光電変換する撮像素子３Ｂを有する基板３１Ｂと、などを備えて構成されている。撮像装置１０Ｂにおいては、遮光部材５Ｂは、外枠部材１Ｂと一体的に成形されている。
撮像装置１０Ｂは、例えば、外枠部材１Ｂを基板３１Ｂ上に固定し、次いで、外枠部材１Ｂの上面に設けられた開口部１２１Ｂから赤外線カットフィルタ４Ｂを収容し、次いで、開口部１２１Ｂから光学系支持体２１Ｂに支持された撮像光学系２Ｂを収容することによって組み立てられる。赤外線カットフィルタ４Ｂは、遮光部材５Ｂの上面で支持されるとともに、接着剤Ｇにより遮光部材５Ｂを介して外枠部材１Ｂに固定されており、光学系支持体２１Ｂに支持された撮像光学系２Ｂは、光学系支持体２１Ｂの外面において外枠部材１Ｂの内面に固定されている。
【特許文献１】特開２００５−１４８１９７号公報
【発明の開示】
【発明が解決しようとする課題】
【０００４】
ところで、撮像装置は、バックフォーカスが短ければ短いほど、自由な光学設計をすることができる。したがって、バックフォーカスをより短くすることができれば、より高性能な撮像装置を提供することができるようになる。
例えば、図１０に示す撮像装置１０Ｂにおいては、遮光部材５Ｂを薄く形成すると、バックフォーカスを短くすることができる。しかしながら、遮光部材５Ｂは、外枠部材１Ｂの内面から外枠部材１Ｂの中央に向かって遮光する範囲に応じた長さで突出した形状に形成されているため、成形性の問題から、遮光部材５Ｂを現行以上に薄く形成することは困難であり、その結果、現行以上に高性能な撮像装置を提供することは難しいという問題があった。
【０００５】
本発明の課題は、より高性能な撮像装置及び当該撮像装置を備えた携帯端末を提供することにある。
【課題を解決するための手段】
【０００６】
上記課題を解決するために、請求項１に記載の発明は、撮像装置において、
被写体光を導くための撮像光学系と、
前記撮像光学系に導かれた被写体光を光電変換する撮像素子と、
前記撮像光学系と前記撮像素子との間に配置された透光部材と、
前記撮像光学系と前記透光部材との間に配置され、前記撮像光学系に導かれた被写体光のうちの不要光を遮光する遮光部材と、を備え、前記撮像光学系の前記撮像素子側の面は凸面であることを特徴とする。
【０００７】
請求項２に記載の発明は、請求項１に記載の撮像装置において、
前記撮像光学系と前記撮像素子と前記透光部材と前記遮光部材とを内側に配置し、被写体光を導入する開口部を有する外枠部材と、
前記外枠部材の内面に突出して設けられ、前記透光部材の前記撮像素子側の端部を支持する透光部材支持部と、を備えることを特徴とする。
【０００８】
請求項３に記載の発明は、撮像装置において、
被写体光を導くための撮像光学系と、
前記撮像光学系に導かれた被写体光を光電変換する撮像素子と、
前記撮像光学系と前記撮像素子との間に配置された透光部材と、
前記撮像光学系と前記透光部材との間に配置され、前記撮像光学系に導かれた被写体光のうちの不要光を遮光する遮光部材と、
前記撮像光学系と前記撮像素子と前記透光部材と前記遮光部材とを内側に配置し、被写体光を導入する開口部を有する外枠部材と、
前記外枠部材の内面に突出して設けられ、前記透光部材の前記撮像素子側の端部を支持する透光部材支持部と、を備えることを特徴とする。
【０００９】
請求項４に記載の発明は、請求項２又は３に記載の撮像装置において、
前記透光部材は、前記透光部材支持部と前記遮光部材との間に挟まれていることを特徴とする。
【００１０】
請求項５に記載の発明は、請求項２〜４の何れか一項に記載の撮像装置において、
前記外枠部材は、その内面に、光軸方向に沿って設けられた凹形状又は凸形状の係合部を備え、
前記遮光部材は、前記外枠部材の凹形状の係合部に係合される凸形状の被係合部又は前記外枠部材の凸形状の係合部に係合される凹形状の被係合部を備えることを特徴とする。
【００１１】
請求項６に記載の発明は、請求項２〜５の何れか一項に記載の撮像装置において、前記遮光部材は、その端面の一部を前記撮像光学系側が開口するように切り欠いた切欠部を備えることを特徴とする。
【００１２】
請求項７に記載の発明によれば、請求項２〜６の何れか一項に記載の撮像装置において、
前記遮光部材は、前記外枠部材に接着されていることを特徴とする。
【００１３】
請求項８に記載の発明によれば、請求項１〜７の何れか一項に記載の撮像装置において、
前記透光部材は、前記撮像光学系に導かれた被写体光から赤外線をカットする赤外線カットフィルタであることを特徴とする。
【００１４】
請求項９に記載の発明は、携帯端末において、請求項１〜８の何れか一項に記載の撮像装置を端末本体に備えることを特徴とする。
【発明の効果】
【００１５】
請求項１に記載の発明によれば、遮光部材が撮像光学系と透光部材との間に配置されているとともに、撮像光学系の撮像素子側の面が凸面であるため、遮光部材を、撮像光学系の撮像素子側の面の端部近傍と透光部材との間にある空間（デットスペースになっていた空間）に配置することができる。したがって、遮光部材が透光部材と撮像素子との間に配置されている従来の撮像装置と比較してバックフォーカスを短くすることができることとなって、結果として、より高性能な撮像装置を提供することができる。
【００１６】
請求項２に記載の発明によれば、請求項１に記載の発明と同様の効果が得られることは無論のこと、遮光部材が外枠部材と別体であるため、遮光部材と外枠部材とが一体的に形成されている従来の撮像装置のような成形性の問題が生じることがなく、遮光部材を現行以上に薄く成形することが可能である。また、透光部材支持部は、透光部材を支持可能な長さだけ外枠部材の内側から突出させればよいので、透光部材支持部の厚みは、従来の遮光部材の厚みに比べて薄く成形できる。したがって、従来の撮像装置と比較してバックフォーカスをより短くすることができることとなって、結果として、より一層高性能な撮像装置を提供することができる。
また、外枠部材が被写体光を導入する開口部を有するとともに、透光部材支持部が透光部材の撮像素子側の端部を支持するため、透光部材と撮像光学系とを、一方向（開口部から撮像素子に向かう方向）から組み付けることができる。したがって、例えば、外枠部材の下面側に透光部材を貼り付けるものに比べて簡易に撮像装置を組み立てることができる。
【００１７】
請求項３に記載の発明によれば、遮光部材が外枠部材と別体であるため、遮光部材と外枠部材とが一体的に形成されている従来の撮像装置のような成形性の問題が生じることがなく、遮光部材を現行以上に薄く成形することが可能である。また、透光部材支持部は、透光部材を支持可能な長さだけ外枠部材の内側から突出させればよいので、透光部材支持部の厚みは、従来の遮光部材の厚みに比べて薄く成形できる。したがって、従来の撮像装置と比較してバックフォーカスをより短くすることができることとなって、結果として、より高性能な撮像装置を提供することができる。
また、外枠部材が被写体光を導入する開口部を有するとともに、透光部材支持部が透光部材の撮像素子側の端部を支持するため、透光部材と撮像光学系とを、一方向（開口部から撮像素子に向かう方向）から組み付けることができる。したがって、例えば、外枠部材の下面側に透光部材を貼り付けるものに比べて簡易に撮像装置を組み立てることができる。
【００１８】
請求項４に記載の発明によれば、請求項２又は３に記載の発明と同様の効果が得られることは無論のこと、透光部材が透光部材支持部と遮光部材との間に挟まれているため、透光部材が薄くても所定の位置に確実に固定することができるとともに、撮像装置により得られる画像が劣化する等の問題を解消することができる。
具体的には、例えば、従来の撮像装置のような透光部材を透光部材支持部等と遮光部材等との間に挟まない構成では、例えば、透光部材が薄いと、透光部材が浮いてしまって、透光部材を所定の位置に確実に固定できない等の問題や、例えば、透光部材を接着剤によって直接撮像装置内に固定する必要があるため、透光部材表面に接着剤が回り込んでしまって、撮像装置により得られる画像を劣化させる等の問題が生じる。
そこで、本発明の撮像装置のように透光部材を透光部材支持部と遮光部材との間に挟む構成にすると、透光部材の浮きや透光部材表面への接着剤の回り込みを防止することができるため、透光部材が薄くても所定の位置に確実に固定することができるとともに、撮像装置により得られる画像が劣化する等の問題を解消することができる。
【００１９】
請求項５に記載の発明によれば、請求項２〜４の何れか一項に記載の発明と同様の効果が得られることは無論のこと、外枠部材は係合部を備え、遮光部材は外枠部材の係合部に係合される被係合部を備えているため、遮光部材の位置決めを確実に行うことができる。
【００２０】
請求項６に記載の発明によれば、請求項２〜５の何れか一項に記載の発明と同様の効果が得られることは無論のこと、遮光部材に切欠部が備えられており、その切欠部を、例えば、接着剤溜まりとすることができるため、接着剤により、遮光部材を外枠部材に確実に固定することができる。また、接着剤の滴下が容易となり、作業性が向上する。
【００２１】
請求項７に記載の発明によれば、請求項２〜６の何れか一項に記載の撮像装置において、遮光部材が外枠部材に接着されているため、撮像素子側へのゴミの侵入を防止することができる。
【００２２】
請求項８に記載の発明によれば、請求項１〜７の何れか一項に記載の撮像装置において、透光部材として赤外線カットフィルタを用いているため、高性能な画像を得ることができる。
【００２３】
請求項９に記載の発明によれば、携帯端末が請求項１〜８の何れか一項に記載の撮像装置を端末本体に備えているため、上述した請求項１〜８の何れか一項の効果を有する撮像装置を備えた携帯端末を提供することができる。
【発明を実施するための最良の形態】
【００２４】
以下、図を参照して、本発明にかかる撮像装置及び当該撮像装置を備える携帯端末の最良の形態を説明する。なお、発明の範囲は、図示例に限定されない。
【００２５】
＜撮像装置及び携帯端末の構成＞
まず、撮像装置１０及び撮像装置１０を備える携帯端末としての携帯電話機Ｍの構成について説明する。
撮像装置１０は、例えば、図１に示すように、携帯電話機Ｍに備えられている。
具体的には、撮像装置１０は、例えば、携帯電話機Ｍのケース体Ｍ１（端末本体）の内部であって、液晶表示部の下方に相当する位置に、携帯電話機Ｍの背面（液晶表示部側を正面とする。）から被写体光を取り込むことができるように配設されている。
【００２６】
撮像装置１０は、例えば、図２〜５に示すように、外枠部材１と、外枠部材１の内側に配置された撮像光学系２と、外枠部材１の内側に、撮像光学系２の光軸Ｏと略直交するように配置された撮像素子３と、外枠部材１の内側における撮像光学系２と撮像素子３との間に、撮像光学系２の光軸Ｏと略直交するように配置された透光部材としての赤外線カットフィルタ４と、外枠部材１の内側における撮像光学系２と赤外線カットフィルタ４との間に、撮像光学系２の光軸Ｏに対して略垂直に配置された遮光部材５と、などを備えて構成される。
ここで、例えば、図２，４，５に示すように、撮像装置１０における光の入射方向側を下側とし、撮像装置１０における光の入射方向と反対側を上側とし、撮像光学系２の光軸Ｏ方向を上下方向とする。
【００２７】
外枠部材１は、例えば、撮像光学系２側の面（上面）に被写体光を内部に導入する開口部１２１を有する。
具体的には、外枠部材１は、例えば、外形が略直方体形状を成し、上面に略円形状の開口を有するとともに、下面が開口面である方形枠１１と、略円筒形状を成し、上面に開口部１２１を有し、外面（外面下端）において方形枠１１が有する開口の端面と連続する円筒枠１２と、円筒枠１２の内面（内面下端）に突出して設けられた支持部１３と、などによって、一体的に（或いは、別体を接合したものでもよい）形成されている。
【００２８】
外枠部材１の円筒枠１２は、例えば、円筒枠１２の内面に、光軸Ｏ方向（上下方向）に沿って設けられた２つの凹溝部１２２，１２２を備えている。
凹溝部１２２，１２２は、例えば、円筒枠１２の内面を外側に向かって略長方形状に凹ませた形状となっており、円筒枠１２の内面における円筒枠１２の一の径線上の２箇所に上下方向に沿って設けられている。
ここで、凹形状の係合部としての凹溝部１２２，１２２には、例えば、遮光部材５に設けられた凸形状の被係合部としての凸部５２，５２（後述）が係合されるようになっている。
【００２９】
また、外枠部材１の円筒枠１２は、例えば、円筒枠１２の内面に、光軸Ｏ方向（上下方向）に沿って設けられた２つの溝部１２３，１２３を備えている。
溝部１２３，１２３は、例えば、円筒枠１２の内面を外側に向かって略半円形状に凹ませた形状となっており、円筒枠１２の内面における凹溝部１２２，１２２の陥没方向と略直交する円筒枠１２の径線上の２箇所に上下方向に沿って設けられている。
ここで、溝部１２３，１２３は、例えば、凹溝部１２２，１２２に遮光部材５に設けられた凸部５２，５２（後述）が係合された際に、遮光部材５に設けられた凹部５ｂ１１，５ｂ１１（後述）と対面するようになっている。
【００３０】
外枠部材１の支持部１３は、例えば、赤外線カットフィルタ４や遮光部材５を支持する。
具体的には、支持部１３は、例えば、支持部１３の内面（内面下端）から突出する透光部材支持部１３１を有している。そして、支持部１３は、例えば、支持部１３が有する透光部材支持部１３１の上面で、赤外線カットフィルタ４の撮像素子３側（下側）の端部４ａを支持するとともに、支持部１３の上面で、遮光部材５の撮像素子３側（下側）の端部５ａを支持している。
ここで、支持部１３が有する透光部材支持部１３１の厚さ（上下方向の長さ）は、可能な限り小さいことが望まれる。したがって、透光部材支持部１３１の突出長は、例えば、赤外線カットフィルタ４の支持が可能な最小の長さが設定され、透光部材支持部１３１の厚さは、例えば、その突出長で成形が可能な最小の厚さが設定されている。
また、支持部１３の厚さは、例えば、赤外線カットフィルタ４を遮光部材５と透光部材支持部１３１とで挟むことができるよう、赤外線カットフィルタ４の厚さと透光部材支持部１３１の厚さとの和と略同一となるよう設定されている。
【００３１】
撮像光学系２は、被写体光を撮像素子３側に導くためのものであり、例えば、一つのレンズにより、或いは、複数のレンズや絞りなどにより構成される。
撮像光学系２は、例えば、撮像光学系２の撮像素子３側の面（下面）が凸面２ａであるとともに、撮像光学系２の被写体光を取り込む側の面（上面）の中央が凸状になっている。
なお、凸面２ａの形状は、図４，５に示すような、撮像光学系２の下面全体が凸面形状のものだけでなく、例えば、図６に示す撮像光学系２Ａの凸面２ａＡのような、光軸Ｏ近傍が凹面で、当該凹面周辺部が凸面形状のものも含む。
【００３２】
撮像光学系２は、例えば、凸面２ａ（下面）が露出するように、且つ、上面の凸状部分が露出するように、光学系支持体２１に支持されている。そして、撮像光学系２を支持した光学系支持体２１は、例えば、光学系支持体２１の外面において、外枠部材１の円筒枠１２の内面（内面上側）に固定されている。
【００３３】
撮像素子３は、例えば、撮像光学系２に導かれ、遮光部材５により不要光が遮光され、赤外線カットフィルタ４により赤外線がカットされた被写体光を光電変換する。
【００３４】
撮像素子３は、例えば、基板３１の上面に実装（接着及び電気的接続）されている。そして、撮像素子３を実装した基板３１は、例えば、基板３１の上面において、基板３１で外枠部材１の方形枠１１の開口面（下面）を覆うように、方形枠１１を固定している。
【００３５】
赤外線カットフィルタ４は、例えば、撮像光学系２に導かれ、遮光部材５により不要光が遮光された被写体光から赤外線をカットする。
具体的には、赤外線カットフィルタ４は、例えば、有機材料等で形成されたフォルム状又はガラス状のフィルタであり、例えば、略円盤形状に形成されている。そして、赤外線カットフィルタ４の直径は、例えば、赤外線カットフィルタ４の端部４ａが外枠部材１の支持部１３が有する透光部材支持部１３１により支持され得る大きさとなるよう設定されている。
【００３６】
遮光部材５は、例えば、撮像光学系２に導かれた被写体光のうちの不要光を遮光する。
具体的には、遮光部材５は、例えば、図７に示すように、略円盤形状を成しており、遮光部材５の中央には、遮光しない範囲に応じた形状及び大きさの開口部５１が設けられている。遮光部材５の直径は、例えば、外枠部材１の円筒枠１１の内径（すなわち、外枠部材１が有する開口部１２１の直径）よりも若干小さくなるように設定されている。また、遮光部材５に設けられた開口部５１の端面上部は、例えば、厚さ方向（上下方向）に下から上に向かうに連れて外側に向かって傾斜する傾斜面５１ａとなっている。
【００３７】
遮光部材５は、例えば、遮光部材５の端面５ｂに、外枠部材１の円筒枠１１に設けられた凹溝部１２２，１２２に係合される２つの凸部５２，５２を備えている。
凸部５２，５２は、例えば、遮光部材５の端面５ｂを外側に向かって略長方形状に突出させた形状となっており、遮光部材５の端面５ｂにおける遮光部材５の一の径線上の２箇所に設けられている。
ここで、凸部５２，５２の形状及び大きさは、例えば、外枠部材１の円筒枠１１に設けられた凹溝部１２２，１２２に係合可能な形状及び大きさとなるよう設定されている。
【００３８】
また、遮光部材５は、例えば、遮光部材５の端面５ｂの一部を撮像光学系２側（上側）が開口するように切り欠いた切欠部５ｂ１を備えている。
切欠部５ｂ１は、遮光部材５の端面５ｂのうちの凸部５２を設けた端面５ｂ以外の端面５ｂにおいて、撮像光学系２側（上側）が開口するように切り欠いた形状となっている。
【００３９】
そして、遮光部材５は、例えば、切欠部５ｂ１の一部に２つの凹部５ｂ１１，５ｂ１１を備えている。
凹部５ｂ１１，５ｂ１１は、例えば、切欠部５ｂ１の端面を内側に向かって略半円形状に凹ませた形状となっており、切欠部５ｂ１の端面における凸部５２，５２の突出方向と略直交する遮光部材５の径線上の２箇所に設けられている。
ここで、凹部５ｂ１１，５ｂ１１は、例えば、凸部５２，５２が外枠部材１の円筒枠１２に設けられた凹溝部１２２，１２２に係合された際に、円筒枠１２に設けられた溝部１２３，１２３と対面するようになっている。
【００４０】
＜撮像装置の組み立て方法＞
次に、撮像装置１０の組み立て方法について説明する。
まず、例えば、撮像素子３を実装した基板３１の上面（撮像素子３が接着及び接続された側の面）に、外枠部材１の方形枠１１を固定する。
次いで、例えば、外枠部材１が有する開口部１２１から、赤外線カットフィルタ４を収容して、赤外線カットフィルタ４の撮像素子３側の端部４ａを、外枠部材１の支持部１３が有する透光部材支持部１３１の上面に支持させる。
【００４１】
次いで、例えば、外枠部材１が有する開口部１２１から、遮光部材５を、遮光部材５に設けられた凸部５２，５２を外枠部材１の円筒枠１２に設けられた凹溝部１２２，１２２に係合させながら収容して、遮光部材５の撮像素子３側の端部５ａを、外枠部材１の支持部１３の上面に支持させる。
次いで、例えば、外枠部材１の円筒枠１２に設けられた溝部１２３，１２３及び遮光部材５に設けられた凹部５ｂ１１，５ｂ１１に接着剤Ｇを注入する。すると、接着剤Ｇは、遮光部材５に設けられた切欠部５ｂ１全体に行き渡る。これにより、遮光部材５が外枠部材１に固定される。
【００４２】
次いで、外枠部材１が有する開口部１２１から、光学系支持体２１に支持された撮像光学系２を収容して、光学系支持体２１の外面を、外枠部材１の円筒枠１２の内面上側に、例えば、接着剤（図示省略）により固定する。
このようにして、撮像装置１０は組み立てられる。
【００４３】
以上説明した本発明の撮像装置１０によれば、被写体光を導くための撮像光学系２と、撮像光学系２に導かれた被写体光を光電変換する撮像素子３と、撮像光学系２と撮像素子３との間に配置され、撮像光学系２に導かれた被写体光から赤外線をカットする赤外線カットフィルタ４と、撮像光学系２と赤外線カットフィルタ４との間に配置され、撮像光学系２に導かれた被写体光のうちの不要光を遮光する遮光部材５と、を備えており、撮像光学系２の撮像素子３側の面が凸面２ａであるため、遮光部材５を、撮像光学系２の撮像素子３側の面の端部近傍と赤外線カットフィルタ４との間にある空間（デットスペースになっていた空間）に配置することができる。したがって、遮光部材が赤外線カットフィルタと撮像素子との間に配置されている従来の撮像装置と比較してバックフォーカスを短くすることができることとなって、結果として、より高性能な撮像装置１０及びより高性能な撮像装置１０を備えた携帯電話機Ｍを提供することができる。
【００４４】
また、撮像光学系２と撮像素子３と赤外線カットフィルタ４と遮光部材５とを内側に配置し、被写体光を導入する開口部１２１を有する外枠部材１と、外枠部材１の内面に突出して設けられ、赤外線カットフィルタ４の撮像素子３側の端部４ａを支持する透光部材支持部１３１と、を備えているため、赤外線カットフィルタ４と光学系支持体２１に支持された撮像光学系２とを、一方向（開口部１２１から撮像素子３に向かう方向）から組み付けることができる。したがって、例えば、外枠部材の下面側に赤外線カットフィルタを貼り付けるものに比べて簡易に撮像装置１０を組み立てることができる。
【００４５】
また、遮光部材５が外枠部材１と別体であるため、遮光部材と外枠部材とが一体的に形成されている従来の撮像装置のような成形性の問題が生じることがなく、遮光部材５を現行以上に薄く成形することが可能であり、また、遮光部材５に設けた開口部５１の端面上側の傾斜面５１ａの傾斜角度の調整も可能である。また、透光部材支持部１３１は、赤外線カットフィルタ４を支持可能な長さだけ外枠部材１（支持部１３）の内側から突出させればよいので、透光部材支持部１３１の厚みは、従来の遮光部材の厚みに比べて薄く成形できる。したがって、従来の撮像装置と比較してバックフォーカスをより短くすることができることとなって、結果として、より一層高性能な撮像装置を提供することができる。
【００４６】
また、赤外線カットフィルタ４が透光部材支持部１３１と遮光部材５との間に挟まれているため、赤外線カットフィルタ４が薄くても所定の位置に確実に固定することができるとともに、撮像装置１０により得られる画像が劣化する等の問題を解消することができる。
具体的には、例えば、従来の撮像装置のような赤外線カットフィルタを透光部材支持部等と遮光部材等との間に挟まない構成では、例えば、赤外線カットフィルタが薄いと、赤外線カットフィルタが浮いてしまって、赤外線カットフィルタを所定の位置に確実に固定できない等の問題や、例えば、赤外線カットフィルタを接着剤によって直接撮像装置内に固定する必要があるため、透光部材表面に接着剤が回り込んでしまって、撮像装置により得られる画像を劣化させる等の問題が生じる。
そこで、本発明の撮像装置１０のように赤外線カットフィルタ４を透光部材支持部１３１と遮光部材５との間に挟む構成にすると、赤外線カットフィルタ４の浮きや赤外線カットフィルタ４表面への接着剤の回り込みを防止することができるため、赤外線カットフィルタ４が薄くても所定の位置に確実に固定することができるとともに、撮像装置１０により得られる画像が劣化する等の問題を解消することができる。
【００４７】
また、外枠部材１は、その内面に、光軸Ｏ方向に沿って設けられた凹溝部１２２を備え、遮光部材５は、外枠部材１の凹溝部１２２に係合される凸部５２を備えているため、遮光部材５の位置決めを確実に行うことができる。
【００４８】
また、遮光部材５は、その端面５ｂの一部を撮像光学系２側が開口するように切り欠いた切欠部５ｂ１を備えており、切欠部５ｂ１を、例えば、接着剤溜まりとすることができるため、接着剤により、遮光部材５を外枠部材１に確実に固定することができる。また、接着剤Ｇの滴下が容易となり、作業性が向上する。
【００４９】
また、遮光部材５が外枠部材１に接着剤Ｇで接着されているため、撮像素子３側へのゴミの侵入を防止することができる。
【００５０】
また、透光部材として赤外線カットフィルタ４を用いているため、高性能な画像を得ることができる。
【００５１】
なお、本発明は、上記した実施の形態のものに限るものではなく、その要旨を逸脱しない範囲で適宜変更可能である。
遮光部材５は、撮像光学系２と赤外線カットフィルタ４との間に配置されるのであれば、例えば、図８及び９に示す撮像装置１０Ａの遮光部材５Ａのように、外枠部材１Ａと一体的に成形してもよい。この場合、赤外線カットフィルタ４を遮光部材５Ａの撮像素子３側の面（下面）で支持できるため、透光部材支持部１３１は不要であるが、赤外線カットフィルタ４を外枠部材１Ａが有する開口部１２１から収容することができない。
【００５２】
撮像光学系２の撮像素子３側の面は凹面であってもよい。この場合、撮像光学系２の撮像素子３側の面の端部近傍と赤外線カットフィルタ４との間にある空間に、遮光部材５を配置することができないため、例えば、バックフォーカスを短くするには、遮光部材５を薄く形成する必要がある。
【００５３】
外枠部材１に凹形状の係合部としての凹溝部１２２を設け、遮光部材５に凸形状の被係合部としての凸部５２を設けるようにしたが、この限りではなく、例えば、外枠部材１に凸形状の係合部を設け、遮光部材５に凹形状の被係合部を設けるようにしてもよい。
外枠部材１の円筒枠１２の内面における円筒枠１２の径線上の２箇所に２つの凹溝部１２２，１２２を設け、遮光部材５の端面５ｂにおける遮光部材５の径線上の２箇所に２つの凸部５２，５２を設けるようにしたが、凹溝部１２２と凸部５２の個数は、両者の個数が対応するのであれば任意（一又は複数個）であり、凹溝部１２２と凸部５２の位置は、両者の位置が対応するのであれば任意である。
また、同様に、外枠部材１の円筒枠１２に設けた溝部１２３と遮光部材５の切欠部５ｂ１に設けた凹部５ｂ１１の個数及び位置も任意である。
【図面の簡単な説明】
【００５４】
【図１】本発明にかかる携帯電話機（携帯端末）の正面図（ａ）及び背面図（ｂ）である。
【図２】本発明にかかる撮像装置の斜視図である。
【図３】本発明にかかる撮像装置の平面図である。
【図４】図３のＰ−Ｏ−Ｑ断面を示す図である。
【図５】図３のＸ−Ｏ−Ｙ断面を示す図である。
【図６】本発明にかかる撮像装置に備えられた撮像光学系の変形例を示す図である。
【図７】本発明にかかる撮像装置に備えられた遮光部材を示す図である。
【図８】本発明にかかる撮像装置の変形例の平面図である。
【図９】図８のＲ−Ｏ−Ｓ断面を示す図である。
【図１０】従来の撮像装置の断面図である。
【符号の説明】
【００５５】
１，１Ａ  外枠部材
１２１  開口部
１２２  凹溝部（係合部）
１３１  透光部材支持部
２，２Ａ  撮像光学系
２ａ，２ａＡ  凸面
３  撮像素子
４  赤外線カットフィルタ（透光部材）
４ａ  端部
５，５Ａ  遮光部材
５ｂ  端面
５ｂ１  切欠部
５２  凸部（被係合部）
１０，１０Ａ  撮像装置
Ｍ  携帯電話機（携帯端末）
Ｍ１  ケース体（端末本体）
Ｏ  光軸
【図１】
2007233262.tif 000003
【図２】
2007233262.tif 000004
【図３】
2007233262.tif 000005
【図４】
2007233262.tif 000006
【図５】
2007233262.tif 000007
【図６】
2007233262.tif 000008
【図７】
2007233262.tif 000009
【図８】
2007233262.tif 000010
【図９】
2007233262.tif 000011
【図１０】
2007233262.tif 000012